【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
流体不透過性であるケーシングと、
前記ケーシング内に配置された吸収性コアと、
前記ケーシング内で前記吸収性コアの周囲に配置されたマニホールドであって、疎水性である第１側と親水性である第２側とを備えるマニホールドと、
前記マニホールドに流体結合された入口ポートと、
前記マニホールドに流体結合された出口ポートと、
を備えることを特徴とする滲出液容器。
【請求項２】
請求項１に記載の滲出液容器において、
前記マニホールドが分配エンベロープを備え、
前記第１側が前記分配エンベロープの内側であり、
前記第２側が前記分配エンベロープの外側である
ことを特徴とする滲出液容器。
【請求項３】
請求項１に記載の滲出液容器において、前記第１面が疎水性層を含み、前記第２面が親水性層を含むことを特徴とする滲出液容器。
【請求項４】
請求項１に記載の滲出液容器において、前記マニホールドが不織布を含むことを特徴とする滲出液容器。
【請求項５】
請求項１に記載の滲出液容器において、前記マニホールドがポリエステル繊維のテキスタイルを含むことを特徴とする滲出液容器。
【請求項６】
請求項１に記載の滲出液容器において、前記マニホールドが本質的にポリエステル繊維からなることを特徴とする滲出液容器。
【請求項７】
請求項１に記載の滲出液容器において、前記マニホールドが本質的に、前記吸収性コアの周囲に多孔質エンベロープを形成するポリエステル繊維からなることを特徴とする滲出液容器。
【請求項８】
請求項１に記載の滲出液容器において、前記マニホールドが結合ポリエステル繊維を含むことを特徴とする滲出液容器。
【請求項９】
請求項１に記載の滲出液容器において、前記吸収性コアが超吸収性ポリマーを含むことを特徴とする滲出液容器。
【請求項１０】
請求項１に記載の滲出液容器において、前記吸収性コアが前記マニホールド内に封入されていることを特徴とする滲出液容器。
【請求項１１】
請求項１に記載の滲出液容器において、前記吸収性コアが前記マニホールド内で拡張可能であることを特徴とする滲出液容器。
【請求項１２】
請求項１に記載の滲出液容器において、前記マニホールドが、
前記吸収性コアに隣接して配置された疎水性エンベロープと、
前記疎水性エンベロープの周囲に配置された親水性エンベロープと、
を備えることを特徴とする滲出液容器。
【請求項１３】
請求項１に記載の滲出液容器において、前記マニホールドが、乾燥したポリエステルおよび親水性、異型ポリエステルの二層不織布ならびに２成分繊維の２層不織布を含むことを特徴とする滲出液容器。
【請求項１４】
請求項１乃至１３の何れか一項に記載の滲出液容器において、
前記出口ポートを通る液体透過を阻止するように構成されたフィルタ
をさらに備えることを特徴とする滲出液容器。
【請求項１５】
陰圧療法を提供する装置において、
負圧源と、
前記負圧源に流体結合された出口ポートを備える容器と、
前記容器内に配置されかつ前記出口ポートに流体結合された親水性層と、
前記容器内に配置された吸収性コアと、
前記吸収性コアと前記親水性層との間に配置された疎水性層と、
を備えることを特徴とする装置。
【請求項１６】
請求項１５に記載の装置において、前記容器が、前記親水性層に流体結合された入口ポートをさらに備え、前記親水性層が、前記出口ポートと前記入口ポートとの間で前記吸収性コアの周囲に流体を集配するように構成されていることを特徴とする装置。
【請求項１７】
請求項１５に記載の装置において、前記疎水性層が前記吸収性コアの周囲にエンベロープを形成していることを特徴とする装置。
【請求項１８】
請求項１５に記載の装置において、前記疎水性層が前記吸収性コアの周囲に第１エンベロープを形成し、前記親水性層が前記疎水性層の周囲に第２エンベロープを形成していることを特徴とする装置。
【請求項１９】
請求項１５に記載の装置において、前記親水性層が前記疎水性層に結合されていることを特徴とする装置。
【請求項２０】
請求項１５に記載の装置において、
前記親水性層が結合親水性ポリエステル繊維を含み、
前記疎水性層が結合ポリエステル繊維を含み、
前記吸収性コアが超吸収性ポリマーを含む
ことを特徴とする装置。
【請求項２１】
請求項１５に記載の装置において、
前記親水性層が織親水性ポリエステル繊維を含み、
前記疎水性層が織ポリエステル繊維を含み、
前記吸収性コアが超吸収性ポリマーを含む
ことを特徴とする装置。
【請求項２２】
請求項１５に記載の装置において、
前記親水性層が不織布の第１側であり、
前記疎水性層が前記不織布の第２側である
ことを特徴とする装置。
【請求項２３】
請求項１５に記載の装置において、
前記親水性層に流体結合された入口ポートと、
前記入口ポートに結合されるように構成されたドレッシングと、
をさらに備えることを特徴とする装置。
【請求項２４】
滲出液を管理する装置において、
吸収性コアと、
前記吸収性コアの周囲に配置された疎水性シェルと、
前記疎水性シェルの周囲に配置された親水性シェルと、
を備えることを特徴とする装置。
【請求項２５】
請求項２４に記載の装置において、
前記疎水性シェルが不織布の第１側であり、
前記親水性シェルが前記不織布の第２側である
ことを特徴とする装置。
【請求項２６】
請求項２４に記載の装置において、前記疎水性シェルが前記吸収性コアの周囲にエンベロープを形成していることを特徴とする装置。
【請求項２７】
請求項２４に記載の装置において、前記親水性シェルが前記吸収性コアの周囲にエンベロープを形成していることを特徴とする装置。
【請求項２８】
請求項２４に記載の装置において、前記親水性シェルが前記疎水性シェルの周囲にエンベロープを形成していることを特徴とする装置。
【請求項２９】
請求項２４に記載の装置において、前記親水性シェルが流体を集配するように適合されていることを特徴とする装置。
【請求項３０】
請求項２４に記載の装置において、前記疎水性シェルが流体を集配するように適合されていることを特徴とする装置。
【請求項３１】
請求項２４に記載の装置において、前記疎水性シェルおよび前記親水性シェルが流体を集配するように適合されていることを特徴とする装置。
【請求項３２】
請求項２４に記載の装置において、
前記疎水性シェルが前記吸収性コアに接して配置され、
前記親水性シェルが前記疎水性コアに接して配置されている
ことを特徴とする装置。
【請求項３３】
請求項２４に記載の装置において、
前記親水性シェルを封入する流体不透過性壁を備えるケーシングと、
前記親水性シェルに流体結合された流体入口と、
前記親水性シェルに流体結合された流体出口と、
をさらに備えることを特徴とする装置。
【請求項３４】
滲出液容器と、
前記滲出液容器内に配置された吸収性コアと、
前記吸収性コアの周囲の分配エンベロープであって、第１側、第２側、および前記第１側から前記第２側まで増大する疎水性を含む分配エンベロープと、
を備えることを特徴とする装置。
【請求項３５】
請求項３４に記載の装置において、前記第１側が流体分配面を含み、前記第２側が流体獲得面を含むことを特徴とする装置。
【請求項３６】
請求項３４に記載の装置において、前記分配エンベロープが不織布を含み、前記不織布が、疎水性である第１層と親水性である第２層とを含むことを特徴とする装置。
【請求項３７】
請求項３４乃至３７の何れか一項に記載の装置において、前記流体出口に流体結合された負圧源をさらに備えることを特徴とする装置。
【請求項３８】
陰圧療法システムのキャニスタ内の流体を管理する方法において、
前記キャニスタの入口ポートを通して流体を受け取るステップと、
前記入口ポートに流体結合された分配エンベロープ内の前記流体から液体を取り込むステップと、
前記分配エンベロープから、前記分配エンベロープに隣接する吸収性コアに前記液体を移動させるステップと、
前記キャニスタの出口ポートを通して前記流体からガス透過させるステップと、
を含むことを特徴とする方法。
【請求項３９】
請求項３５に記載の方法において、前記分配エンベロープが、
分配層と、
前記分配層に結合された獲得層と、
を備えることを特徴とする方法。
【請求項４０】
請求項３６に記載の方法において、
前記分配層が、前記吸収性コアの周囲に配置された疎水性シェルであり、
前記獲得層が、前記疎水性シェルの周囲に配置された親水性シェルである
ことを特徴とする方法。
【請求項４１】
請求項３５に記載の方法において、前記出口ポートを通して液体が出て行くのを防止するように前記流体をフィルタリングするステップをさらに含むことを特徴とする方法。